(57)【要約】  情報処理装置は、移動体の走行軌跡に基づいて生成された新規道路を記憶する記憶手段と、ユーザから、新規道路を表示する際の表示態様の設定を取得する表示態様設定取得手段と、新規道路に関する情報、及び当該新規道路についての表示態様の設定に関する情報をサーバ装置に送信する送信手段と、を備える。これにより、ユーザが実際に使用して判断した新規道路の利用実態に関する情報を適切に収集することができる。
2012104966.tif 000002
【特許請求の範囲】
【請求項１】
移動体の走行軌跡に基づいて生成された新規道路を記憶する記憶手段と、
ユーザから、前記新規道路を表示する際の表示態様の設定を取得する表示態様設定取得手段と、
前記新規道路に関する情報、及び当該新規道路についての前記表示態様の設定に関する情報をサーバ装置に送信する送信手段と、を備えることを特徴とする情報処理装置。
【請求項２】
前記表示態様は、
前記新規道路を経路探索及び経路案内の対象とすると共に、当該新規道路を表示する第１表示態様と、
前記新規道路を経路探索及び経路案内の対象とせずに、当該新規道路の表示のみを行う第２表示態様と、
前記新規道路を経路探索及び経路案内の対象とせずに、当該新規道路を非表示とする第３表示態様と、を有することを特徴とする請求項１に記載の情報処理装置。
【請求項３】
前記表示態様が前記第３表示態様に設定された場合、当該設定後において前記第３表示態様の対象となった新規道路を前記移動体が再度走行しても、当該走行における走行軌跡に基づいた前記新規道路の生成を禁止する手段を更に備えることを特徴とする請求項２に記載の情報処理装置。
【請求項４】
ユーザから、生成された前記新規道路を削除するための設定を取得する削除設定取得手段を更に備え、
前記送信手段は、前記表示態様の設定に関する情報に加えて、前記新規道路を削除するための設定に関する情報も、前記サーバ装置に送信することを特徴とする請求項１乃至３のいずれか一項に記載の情報処理装置。
【請求項５】
前記新規道路を削除するための設定が行われた場合、当該設定後において削除の対象となった新規道路を前記移動体が再度走行した際に、当該走行における走行軌跡に基づいて前記新規道路を新たに生成する手段を更に備えることを特徴とする請求項４に記載の情報処理装置。
【請求項６】
請求項１乃至５のいずれか一項に記載の情報処理装置と、前記情報処理装置と通信可能に構成されたサーバ装置とを有する情報処理システムであって、
前記サーバ装置は、
前記情報処理装置から、前記新規道路に関する情報、及び当該新規道路についての前記表示態様の設定に関する情報を受信する受信手段と、
前記新規道路に関する情報及び前記表示態様の設定に関する情報を記憶する記憶手段と、
前記新規道路に関する情報及び前記表示態様の設定に関する情報を、少なくとも、前記情報処理装置とは異なる情報処理装置に送信する送信手段と、を備えることを特徴とする情報処理システム。
【請求項７】
情報処理装置によって行われる情報処理方法であって、
移動体の走行軌跡に基づいて生成された新規道路を記憶する記憶工程と、
ユーザから、前記新規道路を表示する際の表示態様の設定を取得する表示態様設定取得工程と、
前記新規道路に関する情報、及び当該新規道路についての前記表示態様の設定に関する情報をサーバ装置に送信する送信工程と、を備えることを特徴とする情報処理方法。
【請求項８】
コンピュータを備え、情報処理装置によって行われる情報処理プログラムであって、
前記コンピュータを、
移動体の走行軌跡に基づいて生成された新規道路を記憶する記憶手段、
ユーザから、前記新規道路を表示する際の表示態様の設定を取得する表示態様設定取得手段、
前記新規道路に関する情報、及び当該新規道路についての前記表示態様の設定に関する情報をサーバ装置に送信する送信手段、として機能させることを特徴する情報処理プログラム。
【請求項９】
請求項８に記載の情報処理プログラムを記録したことを特徴とする記録媒体。
【発明の詳細な説明】
【技術分野】
【０００１】
本発明は、新規道路の利用実態を収集する技術分野に関する。
【背景技術】
【０００２】
従来から、車載用ナビゲーション装置において地図データを外部の情報配信源から取得し、最新の道路地図データを更新記憶する技術が知られている。例えば、特許文献１には、ナビゲーション装置は、自車両の走行軌跡を作成し、その走行軌跡を含む道路地図更新用情報を情報センタへ送信し、情報センタは、その送信された道路地図更新用情報に基づいて道路地図情報を更新し、その更新した道路地図情報をナビゲーション装置へ配信するシステムが提案されている。
【先行技術文献】
【特許文献】
【０００３】
【特許文献１】特開２００２−５４９３４号公報
【発明の概要】
【発明が解決しようとする課題】
【０００４】
しかしながら、上記した特許文献１には、ユーザによる新規道路の利用実態を収集することや、そのような新規道路の利用実態を他のユーザに配信することなどについては記載されていない。【０００５】
本発明が解決しようとする課題は上記のようなものが例として挙げられる。本発明は、ユーザによる新規道路の利用実態を適切に収集することが可能な情報処理装置、情報処理方法及び情報処理プログラム、並びに情報処理システムを提供することを課題とする。
【課題を解決するための手段】
【０００６】
請求項１に記載の発明では、情報処理装置は、移動体の走行軌跡に基づいて生成された新規道路を記憶する記憶手段と、ユーザから、前記新規道路を表示する際の表示態様の設定を取得する表示態様設定取得手段と、前記新規道路に関する情報、及び当該新規道路についての前記表示態様の設定に関する情報をサーバ装置に送信する送信手段と、を備える。【０００７】
請求項６に記載の発明では、請求項１乃至５のいずれか一項に記載の情報処理装置と、前記情報処理装置と通信可能に構成されたサーバ装置とを有する情報処理システムであって、前記サーバ装置は、前記情報処理装置から、前記新規道路に関する情報、及び当該新規道路についての前記表示態様の設定に関する情報を受信する受信手段と、前記新規道路に関する情報及び前記表示態様の設定に関する情報を記憶する記憶手段と、前記新規道路に関する情報及び前記表示態様の設定に関する情報を、少なくとも、前記情報処理装置とは異なる情報処理装置に送信する送信手段と、を備える。【０００８】
請求項７に記載の発明では、情報処理装置によって行われる情報処理方法は、移動体の走行軌跡に基づいて生成された新規道路を記憶する記憶工程と、ユーザから、前記新規道路を表示する際の表示態様の設定を取得する表示態様設定取得工程と、前記新規道路に関する情報、及び当該新規道路についての前記表示態様の設定に関する情報をサーバ装置に送信する送信工程と、を備える。【０００９】
請求項８に記載の発明では、コンピュータを備え、情報処理装置によって行われる情報処理プログラムは、前記コンピュータを、動体の走行軌跡に基づいて生成された新規道路を記憶する記憶手段、ユーザから、前記新規道路を表示する際の表示態様の設定を取得する表示態様設定取得手段、前記新規道路に関する情報、及び当該新規道路についての前記表示態様の設定に関する情報をサーバ装置に送信する送信手段、として機能させる。
【図面の簡単な説明】
【００１０】
【図１】本実施例に係るシステムの概略構成図を示す。
【図２】本実施例に係るナビゲーション装置の概略構成を示す。
【図３】本実施例に係る走行軌跡データのデータ構造を示す。
【図４】新規道路の利用実態を設定するために表示される表示画面例を示す。
【図５】本実施例に係る情報処理システムによって実行される処理フローを示す。
【発明を実施するための形態】
【００１１】
本発明の１つの観点では、情報処理装置は、移動体の走行軌跡に基づいて生成された新規道路を記憶する記憶手段と、ユーザから、前記新規道路を表示する際の表示態様の設定を取得する表示態様設定取得手段と、前記新規道路に関する情報、及び当該新規道路についての前記表示態様の設定に関する情報をサーバ装置に送信する送信手段と、を備える。
【００１２】
上記の情報処理装置は、例えば経路探索及び経路案内を行うナビゲーション装置に好適に利用される。記憶手段は、移動体の走行軌跡に基づいて生成された新規道路を記憶する。表示態様設定取得手段は、ユーザから、生成された新規道路を表示する際の表示態様の設定を取得する。上記の情報処理装置は、ユーザによって設定された、新規道路についての表示態様の設定を、新規道路の利用実態として用いる。送信手段は、新規道路に関する情報、及び当該新規道路についての表示態様の設定に関する情報をサーバ装置に送信する。具体的には、送信手段は、新規道路についての表示態様の設定に関する情報と、当該新規道路に関する情報（例えば走行軌跡のデータ）とを対応付けた情報を、サーバ装置に送信する。
【００１３】
上記の情報処理装置によれば、ユーザが実際に使用して判断した新規道路の利用実態に関する情報を適切に収集することができる。つまり、実ユーザが判断した実用性の高い情報（信頼性の高い情報）を適切に収集することができる。このような情報をサーバ装置に送信することで、他の情報処理装置のユーザに新規道路の情報を配信して共有する場合や、新規道路の情報を利用して地図データ整備を行う場合に、実利用に耐え得る信頼性の高い新規道路だけを適切に抽出することが可能になる。
【００１４】
上記の情報処理装置の一態様では、前記表示態様は、前記新規道路を経路探索及び経路案内の対象とすると共に、当該新規道路を表示する第１表示態様と、前記新規道路を経路探索及び経路案内の対象とせずに、当該新規道路の表示のみを行う第２表示態様と、前記新規道路を経路探索及び経路案内の対象とせずに、当該新規道路を非表示とする第３表示態様と、を有する。
【００１５】
この態様では、第１表示態様、第２表示態様及び第３表示態様のうちで、ユーザによって設定されたいずれかの表示態様を、新規道路の利用実態として用いる。このような複数の表示態様に応じて新規道路の利用実態を規定することで、新規道路の絞り込みだけでなく、一般道路と細街路等のように新規道路種類を適切に区別することが可能となる。
【００１６】
上記の情報処理装置において好適には、前記表示態様が前記第３表示態様に設定された場合、当該設定後において前記第３表示態様の対象となった新規道路を前記移動体が再度走行しても、当該走行における走行軌跡に基づいた前記新規道路の生成を禁止する手段を更に備える。
【００１７】
ユーザが表示態様を第３表示態様に設定した場合には、第３表示態様の対象となった新規道路は情報処理装置の作成間違いなどであり、ユーザは二度と当該新規道路を作成したくないものと想定される。よって、上記の情報処理装置は、第３表示態様に設定された場合には、第３表示態様の対象となった新規道路を再度生成しない。
【００１８】
上記の情報処理装置の他の一態様では、ユーザから、生成された前記新規道路を削除するための設定を取得する削除設定取得手段を更に備え、前記送信手段は、前記表示態様の設定に関する情報に加えて、前記新規道路を削除するための設定に関する情報も、前記サーバ装置に送信する。
【００１９】
この態様では、新規道路についての表示態様の設定に加えて、新規道路を削除するための設定も、新規道路の利用実態として用いることができる。
【００２０】
上記の情報処理装置において好適には、前記新規道路を削除するための設定が行われた場合、当該設定後において削除の対象となった新規道路を前記移動体が再度走行した際に、当該走行における走行軌跡に基づいて前記新規道路を新たに生成する手段を更に備える。
【００２１】
ユーザが新規道路を削除するための設定を行った場合には、最初に生成された新規道路の道路形状などに不備があり、ユーザは当該新規道路を再作成したいものと想定される。よって、上記の情報処理装置は、新規道路を削除するための設定が行われた場合には、削除の対象となった新規道路と同一の新規道路を再度生成する。
【００２２】
上記情報処理装置と、前記情報処理装置と通信可能に構成されたサーバ装置とを有する情報処理システムであって、前記サーバ装置は、前記情報処理装置から、前記新規道路に関する情報、及び当該新規道路についての前記表示態様の設定に関する情報を受信する受信手段と、前記新規道路に関する情報及び前記表示態様の設定に関する情報を記憶する記憶手段と、前記新規道路に関する情報及び前記表示態様の設定に関する情報を、少なくとも、前記情報処理装置とは異なる情報処理装置に送信する送信手段と、を備える。
【００２３】
上記の情報処理システムによれば、ユーザが実際に使用して判断した新規道路の利用実態に関する情報を利用するため、他の情報処理装置のユーザに新規道路の情報を配信して共有する場合や、新規道路の情報を利用して地図データ整備を行う場合に、実利用に耐え得る信頼性の高い新規道路だけを適切に抽出することが可能になる。
【００２４】
本発明の他の観点では、情報処理装置によって行われる情報処理方法は、移動体の走行軌跡に基づいて生成された新規道路を記憶する記憶工程と、ユーザから、前記新規道路を表示する際の表示態様の設定を取得する表示態様設定取得工程と、前記新規道路に関する情報、及び当該新規道路についての前記表示態様の設定に関する情報をサーバ装置に送信する送信工程と、を備える。
【００２５】
本発明の他の観点では、コンピュータを備え、情報処理装置によって行われる情報処理プログラムは、前記コンピュータを、動体の走行軌跡に基づいて生成された新規道路を記憶する記憶手段、ユーザから、前記新規道路を表示する際の表示態様の設定を取得する表示態様設定取得手段、前記新規道路に関する情報、及び当該新規道路についての前記表示態様の設定に関する情報をサーバ装置に送信する送信手段、として機能させる。
【００２６】
なお、情報処理プログラムは、記録媒体に記録した状態で好適に取り扱うことができる。
【００２７】
上記の情報処理方法及び情報処理プログラムによっても、ユーザが実際に使用して判断した新規道路の利用実態に関する情報を適切に収集することができる。
【実施例】
【００２８】
以下、図面を参照して本発明の好適な実施例について説明する。なお、以下の説明は、本発明を車両用のナビゲーション装置に適用した例を示す。【００２９】
［システム構成］
図１は、本実施例に係る情報処理システムの構成を示す。図１に示すように、当該情報処理システムでは、ナビゲーション装置１とサーバ装置２との間で情報の送受信が行われる。ナビゲーション装置１及びサーバ装置２が行う処理については、詳細は後述する。なお、図１では、１つのナビゲーション装置１のみを示しているが、実際には、複数のナビゲーション装置１とサーバ装置２との間で情報の送受信が行われる。【００３０】
［ナビゲーション装置の構成］
図２に、ナビゲーション装置１の構成を示す。図２に示すように、ナビゲーション装置１は、自立測位装置１０、ＧＰＳ受信機１８、システムコントローラ２０、ディスクドライブ３１、データ記憶ユニット３６、通信用インタフェース３７、通信装置３８、表示ユニット４０、音声出力ユニット５０、及び入力装置６０を備える。【００３１】
自立測位装置１０は、加速度センサ１１、角速度センサ１２及び距離センサ１３を備え、自立測位センサとして機能する。加速度センサ１１は、例えば圧電素子からなり、車両の加速度を検出し、加速度データを出力する。角速度センサ１２は、例えば振動ジャイロからなり、車両の方向変換時における車両の角速度を検出し、角速度データ及び相対方位データを出力する。距離センサ１３は、車両の車輪の回転に伴って発生されているパルス信号からなる車速パルスを計測する。【００３２】
ＧＰＳ受信機１８は、複数のＧＰＳ衛星から、測位用データを含む下り回線データを搬送する電波１９を受信する。測位用データは、緯度及び経度情報等から車両の絶対的な位置を検出するために用いられる。【００３３】
システムコントローラ２０は、インタフェース２１、ＣＰＵ（Ｃｅｎｔｒａｌ  Ｐｒｏｃｅｓｓｉｎｇ  Ｕｎｉｔ）２２、ＲＯＭ（Ｒｅａｄ  Ｏｎｌｙ  Ｍｅｍｏｒｙ）２３及びＲＡＭ（Ｒａｎｄｏｍ  Ａｃｃｅｓｓ  Ｍｅｍｏｒｙ）２４を含んでおり、ナビゲーション装置１全体の制御を行う。【００３４】
インタフェース２１は、加速度センサ１１、角速度センサ１２及び距離センサ１３並びにＧＰＳ受信機１８とのインタフェース動作を行う。そして、これらから、車速パルス、加速度データ、相対方位データ、角速度データ、ＧＰＳ測位データ、絶対方位データ等をシステムコントローラ２０に入力する。ＣＰＵ２２は、システムコントローラ２０全体を制御する。ＣＰＵ２２は、本発明における「表示態様設定取得手段」及び「削除設定取得手段」の一例に相当する。ＲＯＭ２３は、システムコントローラ２０を制御する制御プログラム等が格納された図示しない不揮発性メモリ等を有する。ＲＡＭ２４は、入力装置６０を介して使用者により予め設定された経路データ等の各種データを読み出し可能に格納したり、ＣＰＵ２２に対してワーキングエリアを提供したりする。【００３５】
システムコントローラ２０、ＣＤ−ＲＯＭドライブ又はＤＶＤ−ＲＯＭドライブなどのディスクドライブ３１、データ記憶ユニット３６、通信用インタフェース３７、表示ユニット４０、音声出力ユニット５０及び入力装置６０は、バスライン３０を介して相互に接続されている。【００３６】
ディスクドライブ３１は、システムコントローラ２０の制御の下、ＣＤ又はＤＶＤといったディスク３３から、音楽データ、映像データなどのコンテンツデータを読み出し、出力する。なお、ディスクドライブ３１は、ＣＤ−ＲＯＭドライブ又はＤＶＤ−ＲＯＭドライブのうち、いずれか一方としてもよいし、ＣＤ及びＤＶＤコンパチブルのドライブとしてもよい。【００３７】
データ記憶ユニット３６は、例えば、ＨＤＤ、フラッシュメモリなどにより構成され、地図データや地図情報や施設データなどのナビゲーション処理に用いられる各種データを記憶するユニットである。データ記憶ユニット３６は、地図データなどが記憶された地図データベースを有する。【００３８】
通信装置３８は、例えば、ＦＭチューナやビーコンレシーバ、携帯電話や専用の通信カードなどにより構成され、通信用インタフェース３７を介して、ＶＩＣＳセンタなどのサーバから配信される交通情報などを取得する。また、通信装置３８は、上記したサーバ装置２と通信可能に構成されている。通信装置３８は、本発明における「送信手段」の一例に相当する。【００３９】
表示ユニット４０は、システムコントローラ２０の制御の下、各種表示データをディスプレイなどの表示装置に表示する。具体的には、システムコントローラ２０は、データ記憶ユニット３６から地図情報を読み出す。表示ユニット４０は、システムコントローラ２０によってデータ記憶ユニット３６から読み出された地図情報などを表示画面上に表示する。表示ユニット４０は、バスライン３０を介してＣＰＵ２２から送られる制御データに基づいて表示ユニット４０全体の制御を行うグラフィックコントローラ４１と、ＶＲＡＭ（Ｖｉｄｅｏ  ＲＡＭ）等のメモリからなり即時表示可能な画像情報を一時的に記憶するバッファメモリ４２と、グラフィックコントローラ４１から出力される画像データに基づいて、液晶、ＣＲＴ（Ｃａｔｈｏｄｅ  Ｒａｙ  Ｔｕｂｅ）等のディスプレイ４４を表示制御する表示制御部４３と、ディスプレイ４４とを備える。ディスプレイ４４は、画像表示部として機能し、例えば対角５〜１０インチ程度の液晶表示装置等からなり、車内のフロントパネル付近に装着される。【００４０】
音声出力ユニット５０は、システムコントローラ２０の制御の下、ＣＤ−ＲＯＭドライブ３１又はＤＶＤ−ＲＯＭ３２、又はＢＤ−ＲＯＭ、若しくはＲＡＭ２４等からバスライン３０を介して送られる音声デジタルデータのＤ／Ａ（Ｄｉｇｉｔａｌ  ｔｏ  Ａｎａｌｏｇ）変換を行うＤ／Ａコンバータ５１と、Ｄ／Ａコンバータ５１から出力される音声アナログ信号を増幅する増幅器（ＡＭＰ）５２と、増幅された音声アナログ信号を音声に変換して車内に出力するスピーカ５３とを備えて構成されている。【００４１】
入力装置６０は、各種コマンドやデータを入力するための、キー、スイッチ、ボタン、リモコン、音声入力装置等から構成されている。入力装置６０は、車内に搭載された当該車載用電子システムの本体のフロントパネルやディスプレイ４４の周囲に配置される。また、ディスプレイ４４がタッチパネル方式である場合には、ディスプレイ４４の表示画面上に設けられたタッチパネルも入力装置６０として機能する。【００４２】
［新規道路生成］
本実施例では、ナビゲーション装置１は、新規道路を生成する処理を行う。具体的には、ナビゲーション装置は、車両の走行軌跡データに基づいて新規道路を生成する。【００４３】
図３を参照して、本実施例に係る走行軌跡データの具体例について説明する。図３は、走行軌跡データ１００のデータ構造を示す。走行軌跡データ１００は、車両の走行軌跡に対応するデータであり、車両の走行中にナビゲーション装置１によって所定時間毎に収集される。例えば、走行軌跡データ１００は、ナビゲーション装置１内のデータ記憶ユニット３６に記憶される。【００４４】
図３に示すように、走行軌跡データ１００は、緯度経度座標のデータ１０１と、車両の走行速度のデータ１０２と、車両の走行方向のデータ１０３と、時間のデータ１０４と、オフロードフラグ１０５（正確にはオフロードフラグ１０５のオン／オフのデータ）と、を有する。【００４５】
緯度経度座標のデータ１０１は、車両の走行軌跡を示すデータである。具体的には、緯度経度座標のデータ１０１は、自立測位装置１０が求めた車両の緯度経度座標（以下、「自立測位位置座標」とも呼ぶ。）が用いられる。なお、緯度経度座標のデータ１０１として、自立測位位置座標の代わりに、ＧＰＳ受信機１８が受信した位置座標を用いても良いし、ＧＰＳ受信機１８が受信した位置座標に基づいて自立測位位置座標を補正した位置座標を用いても良い。【００４６】
車両の走行方向のデータ１０３は、自立測位装置１０の出力値を用いて生成される。時間のデータ１０４は、ナビゲーション装置１が走行軌跡データ１００を生成した時刻を示すデータである。【００４７】
オフロードフラグ１０５は、車両が走行している道路がオフロード区間であるか否かを示すフラグである。オフロードフラグ１０５がオンである場合は、車両が走行している道路がオフロード区間であることを示している。これは、車両が既存道路から外れた道路を走行していることを示している。これに対して、オフロードフラグ１０５がオフである場合は、車両が走行している道路がオンロードであることを示している。これは、車両が既存道路上を走行していることを示している。【００４８】
オフロードフラグ１０５のオン／オフは、ナビゲーション装置１内のＣＰＵ２２が設定する。具体的には、ＣＰＵ２２は、地図データが有する道路上に自車位置をマッチングさせるマップマッチングを利用することで、オフロードフラグ１０５のオン／オフを設定する。このマップマッチングは、例えば、自立測位装置１０が求めた自立測位位置座標と、当該自立測位位置座標に対応する、地図データが有する道路上の位置座標とを比較することで、自車位置を地図データが有する道路上にマッチングさせる処理に対応する。ＣＰＵ２２は、適切にマップマッチングを行うことができた場合には、つまり自立測位位置座標が地図データが有する道路上の位置座標に概ね一致する場合には、車両がオンロード区間を走行していると判断してオフロードフラグ１０５をオフに設定する。これに対して、ＣＰＵ２２は、適切にマップマッチングを行うことができなかった場合には、つまり自立測位位置座標が地図データが有する道路上の位置座標から離れている場合には、車両がオフロード区間を走行していると判断してオフロードフラグ１０５をオンに設定する。【００４９】
このように、本明細書では、「オンロード区間」は、ＣＰＵ２２によって地図データ上に存在すると判断された道路の区間を指し、「オフロード区間」は、ＣＰＵ２２によって地図データ上に存在しないと判断された道路の区間を指すものとする。基本的には、既存道路は「オンロード区間」に相当し、新規道路は「オフロード区間」に相当する。なお、本明細書においては、「新規道路」の文言は、地図データ上には存在しない道路の他に、オフロード区間に基づいてＣＰＵ２２が新たに生成した道路についても用いるものとする。【００５０】
なお、車両がオンロード区間を走行している場合に、自立測位位置座標の代わりに、マップマッチングを行った後の位置座標のデータを、緯度経度座標のデータ１０１として用いても良い。つまり、オフロードフラグ１０５がオフの場合に、地図データが有する道路上の位置座標のデータを、緯度経度座標のデータ１０１として用いても良い。また、走行軌跡データ１００に、緯度経度座標のデータ１０１とは別に、ＧＰＳ受信機１８が受信した位置座標を含めても良い。【００５１】
ここで、ナビゲーション装置１のＣＰＵ２２は、図３に示したような走行軌跡データ１００に基づいて、新規道路を生成する。具体的には、ＣＰＵ２２は、車両がオフロード区間を走行した際に得られた走行軌跡データ１００に基づいて、当該オフロード区間に対応する新規道路を生成する。この場合、ＣＰＵ２２は、車両が走行した道路について、走行軌跡データ１００のオフロードフラグ１０５に基づいてオフロード区間を判別し、判別されたオフロード区間について、走行軌跡データ１００の緯度経度座標のデータ１０１（自立測位位置座標のデータなどに対応する）に基づいて、当該オフロード区間に対応する新規道路を生成する。そして、システムコントローラ２０は、生成した新規道路のデータをデータ記憶ユニット３６（記憶手段に相当する）に記憶させ、当該新規道路を経路探索及び経路案内の対象として用いる。【００５２】
［新規道路の利用実態の収集］
次に、本実施例に係る新規道路の利用実態の収集について説明する。本実施例では、ナビゲーション装置１は、上記のように生成された新規道路についてのユーザの利用実態を収集し、収集された新規道路の利用実態の情報をサーバ装置２にアップロードする。この場合、ナビゲーション装置１内のＣＰＵ２２は、ユーザによる入力装置６０の操作より、新規道路の利用実態を取得し、取得した新規道路の利用実態に関する情報をデータ記憶ユニット３６に記憶させ、データ記憶ユニット３６に記憶された新規道路の利用実態に関する情報をサーバ装置２にアップロードする。【００５３】
具体的には、ＣＰＵ２２は、ユーザによる入力装置６０の操作より、新規道路を表示する際の表示態様の設定を取得して、表示態様の設定に関する情報を新規道路の利用実態として用いる。そして、ＣＰＵ２２は、ユーザが表示態様の設定を行った場合、新規道路に関する情報（具体的には走行軌跡データ１００の緯度経度座標のデータ１０１である。以下同様とする。）と、当該新規道路についての表示態様の設定に関する情報とをサーバ装置２に送信する。【００５４】
設定される表示態様としては、第１表示態様、第２表示態様及び第３表示態様の３つがある。第１表示態様は、新規道路を経路探索及び経路案内の対象とすると共に、当該新規道路を表示する表示態様である。第２表示態様は、新規道路を経路探索及び経路案内の対象とせずに、当該新規道路の表示のみを行う表示態様である。第２表示態様は、新規道路が細くて経路案内には適さない場合などにユーザが設定することを想定している。第３表示態様は、新規道路を経路探索及び経路案内の対象とせずに、当該新規道路を非表示とする表示態様である。第３表示態様は、作成間違い等で二度と新規道路を作成したくない場合などにユーザが設定することを想定している。【００５５】
ここで、ＣＰＵ２２は、表示態様が第３表示態様に設定された場合には、当該設定後において第３表示態様の対象となった新規道路を車両が再度走行しても、当該走行における走行軌跡に基づいた新規道路の生成を禁止する、つまり第３表示態様の対象となった新規道路を再度生成しない。こうしているのは、ユーザが表示態様を第３表示態様に設定した場合には、第３表示態様の対象となった新規道路はナビゲーション装置１の作成間違いなどであり、ユーザは二度と当該新規道路を作成したくないものと想定されるからである。但し、表示態様が第３表示態様に設定されても、当該設定に対応する情報（新規道路に関する情報も含まれる）をサーバ装置２に送信するため、ＣＰＵ２２は、第３表示態様の対象となった新規道路に関する情報をデータ記憶ユニット３６から削除しないものとする。【００５６】
なお、ＣＰＵ２２は、上記のように第３表示態様の対象となった新規道路を再度生成しないといった処理を行うに当たって、まず、第３表示態様の対象となった新規道路を車両が再度走行したか否かを判定することとなる。例えば、ＣＰＵ２２は、新規道路の生成時に、新規道路と他の道路とを識別可能な道路種別（例えば「ユーザ道路」）の情報を当該新規道路に対して付与し、この後、付与した道路種別の情報に基づいて、第３表示態様の対象となった新規道路を車両が再度走行したか否かを判定する。【００５７】
更に、ＣＰＵ２２は、上記したような表示態様の設定の他に、ユーザによる入力装置６０の操作より、生成された新規道路を削除するための設定を取得して、新規道路の削除に関する情報も新規道路の利用実態として用いる。そして、ＣＰＵ２２は、ユーザが新規道路を削除するための設定を行った場合、新規道路に関する情報と、当該新規道路の削除に関する情報とをサーバ装置２に送信する。【００５８】
ここで、ＣＰＵ２２は、上記のように新規道路を削除するための設定がなされた場合、当該設定後において削除の対象となった新規道路を車両が再度走行した際に、当該走行における走行軌跡に基づいて新規道路を新たに生成する。つまり、第３表示態様に設定された場合と異なり、新規道路を再度生成する。こうしているのは、ユーザが第３表示態様の設定ではなく新規道路を削除するための設定を行った場合には、最初に生成された新規道路の道路形状などに不備があり、ユーザは当該新規道路を再作成したいものと想定されるからである。なお、新規道路を削除するための設定がなされても、当該設定に対応する情報（新規道路に関する情報も含まれる）をサーバ装置２に送信するため、ＣＰＵ２２は、削除の対象となった新規道路に関する情報を実際にはデータ記憶ユニット３６から削除しないものとする。【００５９】
ナビゲーション装置１のＣＰＵ２２は、このようにユーザにより設定が行われた表示態様の設定及び新規道路を削除するための設定を、新規道路の利用実態に関する情報としてデータ記憶ユニット３６に蓄積する。具体的には、ＣＰＵ２２は、新規道路の利用実態に関する情報と、その新規道路のデータ（走行軌跡データ１００の緯度経度座標のデータ１０１）とを対応付けた情報（以下、「新規道路利用実態情報」と呼ぶ。）をデータ記憶ユニット３６に記憶させる。複数の新規道路が存在する場合には、新規道路利用実態情報は、各新規道路ごとにその利用実態が対応付けられた情報を有する。そして、ＣＰＵ２２は、データ記憶ユニット３６に蓄積された新規道路利用実態情報を、通信装置３８を介してサーバ装置２に送信する。サーバ装置２は、ナビゲーション装置１から受信された新規道路利用実態情報を記憶すると共に、当該新規道路利用実態情報を、他のナビゲーション装置１（新規道路利用実態情報を送信したナビゲーション装置１を含めても良い）や地図整備センタなどに送信する。【００６０】
以上説明したように、本実施例によれば、ユーザが実際に使用して判断した新規道路の利用実態に関する情報を、ナビゲーション装置１側で自動的に蓄積してサーバ装置２にアップロードすることができる。よって、他のナビゲーション装置１のユーザに新規道路の情報を配信して共有する場合や、新規道路の情報を利用して地図データ整備を行う場合に、実利用に耐え得る信頼性の高い新規道路だけを適切に抽出することが可能になる。【００６１】
また、本実施例によれば、ユーザによって入力された新規道路の利用実態を、ナビゲーション装置が自動的に蓄積してアップロードするため、ユーザの負荷を少なくした上で、信頼性の高い情報を収集することが可能となる。更に、本実施例では、第１表示態様、第２表示態様、及び第３表示態様の設定、並びに新規道路を削除する設定といった複数の設定に基づいて、新規道路の利用実態を規定しているため、新規道路の絞り込みのみならず、一般道路と細街路等のように新規道路種類を区別することが可能となる。例えば、第２表示態様が設定された場合には、第２表示態様の対象となった新規道路は細街路などに該当するものと想定できる。【００６２】
［表示画面例］
次に、図４を参照して、新規道路の利用実態を設定するために表示される表示画面の具体例について説明する。図４に示すような表示画面２００は、例えば新規道路が生成された際や、ユーザが新規道路の利用実態を設定するための操作を行った際などに表示される。また、表示画面２００は、ナビゲーション装置１のＣＰＵ２２によって生成され、表示ユニット４０のディスプレイ４４に表示される。なお、表示ユニット４０は、ディスプレイ４４がタッチパネル方式で構成されており、ユーザがディスプレイ４４を操作することで入力した情報を取得する。【００６３】
表示画面２００には、ユーザが新規道路の利用実態を設定するために用いられる設定画面２１０（新規道路設定メニューを示す画面）と、当該設定の対象となっている新規道路２２１（太線で示す）が表示された地図画面２２０とが表示される。ここでは、設定画面２１０に、新規道路Ａについての設定画面２１０ａと、新規道路Ｂについての設定画面２１０ｂとが表示された例を示している。設定画面２１０ａ、２１０ｂには、それぞれ新規道路Ａ、Ｂが生成された時刻も表示されている。地図画面２２０に表示された新規道路２２１は、新規道路Ａ及び新規道路Ｂのいずれか一方に相当する。なお、新規道路Ａ及び新規道路Ｂが同一の地図画面上に表示可能である場合には、新規道路Ａ及び新規道路Ｂの両方が地図画面２２０に表示されることとなる。【００６４】
設定画面２１０ａ、２１０ｂにおいて、「地図表示のみ」と表示された選択ボタン２１１ａ、２１１ｂ（以下、これらを区別しない場合には「選択ボタン２１１」と表記する）は、表示態様を第２表示態様に設定するためのボタンである。ユーザが選択ボタン２１１を選択した場合には、ＣＰＵ２２は、該当する新規道路の表示のみを行い、当該新規道路を経路探索及び経路案内の対象から外す。また、「非表示」と表示された選択ボタン２１２ａ、２１２ｂ（以下、これらを区別しない場合には「選択ボタン２１２」と表記する）は、表示態様を第３表示態様に設定するためのボタンである。ユーザが選択ボタン２１２を選択した場合には、ＣＰＵ２２は、該当する新規道路を非表示に設定すると共に、当該新規道路を経路探索及び経路案内の対象から外す。また、「削除」と表示された選択ボタン２１３ａ、２１３ｂ（以下、これらを区別しない場合には「選択ボタン２１３」と表記する）は、新規道路を削除するためのボタンである。ユーザが選択ボタン２１３を選択した場合には、ＣＰＵ２２は、該当する新規道路を削除する、具体的には地図画面上から当該新規道路を消去する処理を行う。【００６５】
基本的には、選択ボタン２１１、２１２、２１３は、いずれか１つのボタンのみが選択可能となっている。また、選択ボタン２１１、２１２、２１３の全てを選択しないという設定もある。当該設定は、表示態様を第１表示態様に設定することに該当する。つまり、ユーザが選択ボタン２１１、２１２、２１３のいずれも選択しなかった場合には、ＣＰＵ２２は、該当する新規道路の表示を行うと共に、当該新規道路を経路探索及び経路案内の対象に設定する。【００６６】
［処理フロー］
次に、図５を参照して、本実施例に係る情報処理システムによって実行される処理フローについて説明する。当該処理フローは、ナビゲーション装置１及びサーバ装置２によって実行される。具体的は、ナビゲーション装置１側では、ユーザから新規道路の利用実態を取得すると共に、これに対応する新規道路利用実態情報をサーバ装置２に送信する処理が行われ、サーバ装置２側では、受信した新規道路利用実態情報を他のナビゲーション装置などに送信する処理が行われる。図５では、ステップＳ１０１〜Ｓ１０５の処理はナビゲーション装置１側で行われる処理を示しており、ステップＳ１０６〜Ｓ１０７の処理はサーバ装置２側で行われる処理を示している。【００６７】
まず、ステップＳ１０１では、ナビゲーション装置１のＣＰＵ２２は、新規道路を生成すると共に、当該新規道路を、利用実態を設定するためのメニューに登録する。この場合、ＣＰＵ２２は、車両が走行した道路について、走行軌跡データ１００のオフロードフラグ１０５に基づいてオフロード区間を判別し、判別されたオフロード区間について、走行軌跡データ１００の緯度経度座標のデータ１０１に基づいて、当該オフロード区間に対応する新規道路を生成する。そして、ＣＰＵ２２は、生成した新規道路を、利用実態を設定するためのメニューに登録する。この後、処理はステップＳ１０２に進む。【００６８】
ステップＳ１０２では、ＣＰＵ２２は、新規道路に関して、ユーザからのメニュー操作を取得する。具体的には、ＣＰＵ２２は、図４に示したような表示画面をディスプレイ４４に表示させて、当該表示画面を用いたユーザの操作を取得する。詳しくは、ＣＰＵ２２は、第１表示態様、第２表示態様、及び第３表示態様の設定、並びに新規道路を削除する設定のうちのいずれか１つの設定を、ユーザから取得する。そして、処理はステップＳ１０３に進む。【００６９】
ステップＳ１０３では、ＣＰＵ２２は、ステップＳ１０２で取得したユーザによる設定に対応する新規道路利用実態情報を、データ記憶ユニット３６に蓄積する。具体的には、ＣＰＵ２２は、ステップＳ１０２で取得したユーザによる設定、つまり新規道路の利用実態に関する情報と、当該新規道路についての走行軌跡データ１００における緯度経度座標のデータ１０１とを対応付けた情報を、新規道路利用実態情報としてデータ記憶ユニット３６に記憶させる。そして、処理はステップＳ１０４に進む。【００７０】
ステップＳ１０４では、ＣＰＵ２２は、ナビゲーション装置１がサーバ装置２に接続されたか否かを判定する。ナビゲーション装置１がサーバ装置２に接続された場合（ステップＳ１０４；Ｙｅｓ）、ＣＰＵ２２は、データ記憶ユニット３６に蓄積された新規道路利用実態情報を、通信装置３８を介してサーバ装置２に送信する（ステップＳ１０５）。そして、処理はステップＳ１０６に進む。これに対して、ナビゲーション装置１がサーバ装置２に接続されていない場合（ステップＳ１０４；Ｎｏ）、処理はステップＳ１０２に戻る。この場合には、サーバ装置２に接続されるまで、上記したステップＳ１０２〜Ｓ１０４の処理が繰り返される。【００７１】
ステップＳ１０６では、サーバ装置２は、ナビゲーション装置１から受信した新規道路利用実態情報を記憶する。具体的には、サーバ装置２は、受信した新規道路利用実態情報を、既に記憶しているデータに反映させる処理を行う。そして、処理はステップＳ１０７に進む。ステップＳ１０７では、サーバ装置２は、記憶している新規道路利用実態情報を、他のナビゲーション装置１（新規道路利用実態情報を送信したナビゲーション装置１とは異なるナビゲーション装置１）や、地図整備センタに配信する。そして、処理は終了する。【００７２】
以上説明した処理フローによれば、ユーザが実際に使用して判断した新規道路の利用実態に関する情報を利用するため、他のナビゲーション装置１のユーザに新規道路の情報を配信して共有する場合や、新規道路の情報を利用して地図データ整備を行う場合に、実利用に耐え得る信頼性の高い新規道路だけを適切に抽出することが可能になる。【００７３】
［変形例］
上記では、ナビゲーション装置１が蓄積した新規道路利用実態情報をサーバ装置２にアップロードする実施例を示したが、新規道路利用実態情報をデータ格納メディアに記憶させ、データ格納メディアに記憶された新規道路利用実態情報を供給することとしても良い。具体的には、新規道路利用実態情が記憶されたデータ格納メディアを、サーバ装置２や、他のナビゲーション装置１や、地図整備センタに供給することとしても良い。これにより、無線通信環境がなくても、新規道路利用実態情報の収集が可能となる。【００７４】
上記では、第１表示態様、第２表示態様、及び第３表示態様の設定、並びに新規道路を削除する設定に基づいて、新規道路の利用実態を規定する実施例を示したが、この他にも、新規道路が経路探索に使用されたか否かの情報や新規道路の走行回数の情報などによって新規道路の利用実態を規定しても良い。つまり、新規道路が経路探索に使用されたか否かや新規道路の走行回数などの情報も、新規道路の利用実態として、サーバ装置２にアップロードすることとしても良い。【００７５】
上記では本発明を車両に適用する例を示したが、本発明の適用はこれに限定されない。本発明は、車両の他に、船や、ヘリコプターや、飛行機などの種々の移動体に適用することができる。加えて、本発明は、歩行者が利用する端末装置にも適用することができる。つまり、「移動体」には歩行者も含まれる。【００７６】
以上に述べたように、実施例は、上述した実施例に限られるものではなく、特許請求の範囲及び明細書全体から読み取れる発明の要旨あるいは思想に反しない範囲で適宜変更可能である。
【産業上の利用可能性】
【００７７】
本発明は、ＰＮＤなどを含むナビゲーション装置や、携帯電話などの携帯型端末装置や、サーバ装置などに利用することができる。
【符号の説明】
【００７８】
１  ナビゲーション装置
２  サーバ装置
１０  自立測位装置
２０  システムコントローラ
２２  ＣＰＵ
３６  データ記憶ユニット
１００  走行軌跡データ
【図１】
2012104966.tif 000003
【図２】
2012104966.tif 000004
【図３】
2012104966.tif 000005
【図４】
2012104966.tif 000006
【図５】
2012104966.tif 000007
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
移動体の走行軌跡に基づいて生成された新規道路を記憶する記憶手段と、
ユーザから、前記新規道路を表示する際の表示態様の設定を取得する表示態様設定取得手段と、
前記新規道路に関する情報、及び当該新規道路についての前記表示態様の設定に関する情報をサーバ装置に送信する送信手段と、を備え、
前記表示態様の設定は、前記新規道路を経路探索及び経路案内の対象とするか否か、又は前記新規道路を表示するか否かを示す設定であることを特徴とする情報処理装置。
【請求項２】
前記表示態様は、
前記新規道路を経路探索及び経路案内の対象とすると共に、当該新規道路を表示する第１表示態様と、
前記新規道路を経路探索及び経路案内の対象とせずに、当該新規道路の表示のみを行う第２表示態様と、
前記新規道路を経路探索及び経路案内の対象とせずに、当該新規道路を非表示とする第３表示態様と、を有することを特徴とする請求項１に記載の情報処理装置。
【請求項３】
前記表示態様が前記第３表示態様に設定された場合、当該設定後において前記第３表示態様の対象となった新規道路を前記移動体が再度走行しても、当該走行における走行軌跡に基づいた前記新規道路の生成を禁止する手段を更に備えることを特徴とする請求項２に記載の情報処理装置。
【請求項４】
ユーザから、生成された前記新規道路を削除するための設定を取得する削除設定取得手段を更に備え、
前記送信手段は、前記表示態様の設定に関する情報に加えて、前記新規道路を削除するための設定に関する情報も、前記サーバ装置に送信することを特徴とする請求項１乃至３のいずれか一項に記載の情報処理装置。
【請求項５】
前記新規道路を削除するための設定が行われた場合、当該設定後において削除の対象となった新規道路を前記移動体が再度走行した際に、当該走行における走行軌跡に基づいて前記新規道路を新たに生成する手段を更に備えることを特徴とする請求項４に記載の情報処理装置。
【請求項６】
請求項１乃至５のいずれか一項に記載の情報処理装置と、前記情報処理装置と通信可能に構成されたサーバ装置とを有する情報処理システムであって、
前記サーバ装置は、
前記情報処理装置から、前記新規道路に関する情報、及び当該新規道路についての前記表示態様の設定に関する情報を受信する受信手段と、
前記新規道路に関する情報及び前記表示態様の設定に関する情報を記憶する記憶手段と、
前記新規道路に関する情報及び前記表示態様の設定に関する情報を、少なくとも、前記情報処理装置とは異なる情報処理装置に送信する送信手段と、を備えることを特徴とする情報処理システム。
【請求項７】
情報処理装置によって行われる情報処理方法であって、
移動体の走行軌跡に基づいて生成された新規道路を記憶する記憶工程と、
ユーザから、前記新規道路を表示する際の表示態様の設定を取得する表示態様設定取得工程と、
前記新規道路に関する情報、及び当該新規道路についての前記表示態様の設定に関する情報をサーバ装置に送信する送信工程と、を備え、
前記表示態様の設定は、前記新規道路を経路探索及び経路案内の対象とするか否か、又は前記新規道路を表示するか否かを示す設定であることを特徴とする情報処理方法。
【請求項８】
コンピュータを備え、情報処理装置によって行われる情報処理プログラムであって、
前記コンピュータを、
移動体の走行軌跡に基づいて生成された新規道路を記憶する記憶手段、
ユーザから、前記新規道路を表示する際の表示態様の設定を取得する表示態様設定取得手段、
前記新規道路に関する情報、及び当該新規道路についての前記表示態様の設定に関する情報をサーバ装置に送信する送信手段、として機能させ、
前記表示態様の設定は、前記新規道路を経路探索及び経路案内の対象とするか否か、又は前記新規道路を表示するか否かを示す設定であることを特徴する情報処理プログラム。
【請求項９】
請求項８に記載の情報処理プログラムを記録したことを特徴とする記録媒体。
【手続補正２】
【補正対象書類名】明細書
【補正対象項目名】０００６
【補正方法】変更
【補正の内容】
【０００６】
請求項１に記載の発明では、情報処理装置は、移動体の走行軌跡に基づいて生成された新規道路を記憶する記憶手段と、ユーザから、前記新規道路を表示する際の表示態様の設定を取得する表示態様設定取得手段と、前記新規道路に関する情報、及び当該新規道路についての前記表示態様の設定に関する情報をサーバ装置に送信する送信手段と、を備え、前記表示態様の設定は、前記新規道路を経路探索及び経路案内の対象とするか否か、又は前記新規道路を表示するか否かを示す設定である。
【手続補正３】
【補正対象書類名】明細書
【補正対象項目名】０００８
【補正方法】変更
【補正の内容】
【０００８】
請求項７に記載の発明では、情報処理装置によって行われる情報処理方法は、移動体の走行軌跡に基づいて生成された新規道路を記憶する記憶工程と、ユーザから、前記新規道路を表示する際の表示態様の設定を取得する表示態様設定取得工程と、前記新規道路に関する情報、及び当該新規道路についての前記表示態様の設定に関する情報をサーバ装置に送信する送信工程と、を備え、前記表示態様の設定は、前記新規道路を経路探索及び経路案内の対象とするか否か、又は前記新規道路を表示するか否かを示す設定である。
【手続補正４】
【補正対象書類名】明細書
【補正対象項目名】０００９
【補正方法】変更
【補正の内容】
【０００９】
請求項８に記載の発明では、コンピュータを備え、情報処理装置によって行われる情報処理プログラムは、前記コンピュータを、動体の走行軌跡に基づいて生成された新規道路を記憶する記憶手段、ユーザから、前記新規道路を表示する際の表示態様の設定を取得する表示態様設定取得手段、前記新規道路に関する情報、及び当該新規道路についての前記表示態様の設定に関する情報をサーバ装置に送信する送信手段、として機能させ、前記表示態様の設定は、前記新規道路を経路探索及び経路案内の対象とするか否か、又は前記新規道路を表示するか否かを示す設定である。
【国際調査報告】
2012104966.tif 000008
2012104966.tif 000009